(57)【要約】【課題】運用情報の設定を遠隔操作にて行える通信装置を提供する。【解決手段】通信装置１０は、通信部１０１と、制御部１０２を備え、制御部１０２は、モード切替部と、接続判定部と、情報取得部と、を備える。モード切替部は、制御部１０２の処理モードを所定の条件の下、通常運転モード、接続判定モード及び運用情報設定モードの何れかに切り替える。接続判定部は、処理モードが接続判定モードであるとき、運用情報設定装置２０が通信ケーブル３０に接続されているか否かを判定する。モード切替部は、接続判定部により、運用情報設定装置２０が通信ケーブル３０に接続されていると判定されると、処理モードを運用情報設定モードに切り替える。情報取得部は、処理モードが運用情報設定モードであるとき、通信部１０１を介して運用情報設定装置２０とデータ通信を行い、運用情報設定装置２０から運用情報を取得する。【選択図】図１
2011238984.tif 000002
【特許請求の範囲】
【請求項１】
他の機器と所定の通信ケーブルを介してデータ通信を行う通信手段と、該通信手段を制御する制御手段と、を備える通信装置であって、
前記制御手段は、
該制御手段の処理モードを所定の条件の下、通常運転モード、接続判定モード及び運用情報設定モードの何れかに切り替えるモード切替手段と、
前記処理モードが前記接続判定モードであるとき、当該通信装置の運転制御に係る情報である運用情報を設定するための運用情報設定装置が前記通信ケーブルに接続されているか否かを判定する接続判定手段と、
前記処理モードが前記運用情報設定モードであるとき、前記通信手段を介して前記運用情報設定装置とデータ通信を行い、該運用情報設定装置から前記運用情報を取得する情報取得手段と、を備え、
前記モード切替手段は、前記接続判定手段により、前記運用情報設定装置が前記通信ケーブルに接続されていると判定されると、前記処理モードを前記運用情報設定モードに切り替える、
ことを特徴とする通信装置。
【請求項２】
前記処理モードは、当該通信装置の起動直後においては、前記接続判定モードになるように初期設定されている、
ことを特徴とする請求項１に記載の通信装置。
【請求項３】
前記処理モードが、前記通常運転モードであるとき、前記通信ケーブルに接続する機器における接続状態と切断状態の傾向が、所定のパターンに合致するか否かを判定するパターン判定手段をさらに備え、
前記モード切替手段は、前記パターン判定手段により、前記傾向が前記所定のパターンに合致すると判定されると、前記処理モードを前記接続判定モードに切り替える、
ことを特徴とする請求項１又は２に記載の通信装置。
【請求項４】
前記モード切替手段は、前記処理モードが前記接続判定モードになってから所定時間が経過すると、前記処理モードを前記通常運転モードに切り替える、
ことを特徴とする請求項１乃至３の何れか１項に記載の通信装置。
【請求項５】
前記モード切替手段は、前記処理モードが前記運用情報設定モードであるとき、前記運用情報設定装置から、前記運用情報の設定を終了する旨を示す電文を受信すると、前記処理モードを前記通常運転モードに切り替える、
ことを特徴とする請求項１乃至４の何れか１項に記載の通信装置。
【請求項６】
所定の通信ケーブルを介して他の機器とデータ通信を行う通信装置が、運用情報設定装置から当該通信装置の運転制御に係る情報である運用情報を取得するための方法であって、
前記通信装置は、
所定の条件の下、自己の処理モードを接続判定モードに設定し、
前記処理モードが前記接続判定モードであるとき、前記運用情報設定装置が前記通信ケーブルに接続されているか否かを判定し、
前記運用情報設定装置が前記通信ケーブルに接続されていると判定すると、前記処理モードを運用情報設定モードに切り替え、
前記処理モードが前記運用情報設定モードであるとき、前記運用情報設定装置とデータ通信を行い、該運用情報設定装置から前記運用情報を取得する、
ことを特徴とする運用情報取得方法。
【請求項７】
前記通信装置は、起動直後において、前記処理モードを前記接続判定モードに設定する、
ことを特徴とする請求項６に記載の運用情報取得方法。
【請求項８】
前記通信装置は、
前記処理モードが、通常運転モードであるとき、前記通信ケーブルに接続する機器における接続状態と切断状態の傾向が、所定のパターンに合致するか否かを判定し、
前記傾向が前記所定のパターンに合致すると判定すると、前記処理モードを前記接続判定モードに切り替える、
ことを特徴とする請求項６又は７に記載の運用情報取得方法。
【発明の詳細な説明】
【技術分野】
【０００１】
本発明は、通信装置に対して遠隔操作により運用情報を設定するための技術に関する。
【背景技術】
【０００２】
太陽光発電装置から各種のデータを取り込んで、パソコン等に送信するデータロガー（例えば、特許文献１の段落［００６０］、第７図参照）はよく知られている。ユーザは、このようなデータロガー等の通信装置を新たに設置した場合、当該通信装置に対して、稼働に必要な各種の情報（運用情報）を設定する必要がある。
【０００３】
従来、この種の通信装置に対して運用情報を設定する場合、ユーザは、当該通信装置に設けられたスイッチ等を直接操作する必要があった。例えば、所定の端末装置と通信装置を接続し、端末装置から通信装置にデータ送信して運用情報を入力する場合、作業者は、通信装置に設けられたモード切替用のスイッチ等を操作して、通信装置の制御モードを運用情報設定用のモードに切り替え、運用情報の入力後は、再度、スイッチ等を操作して、通常運転用のモードに切り替える作業を要していた。
【先行技術文献】
【特許文献】
【０００４】
【特許文献１】特開２００６−１０１５９１号公報
【発明の概要】
【発明が解決しようとする課題】
【０００５】
このように、従来においては、通信装置に対して運用情報の設定が必要な場合、作業者は、当該通信装置の設置現場に赴き、直接、通信装置に設けられたスイッチ等を操作しなければならず不便であった。
【０００６】
本発明は、上記従来の課題を解決するためになされたものであり、遠隔操作にて運用情報の設定が可能な通信装置等を提供することを目的とする。
【課題を解決するための手段】
【０００７】
上記目的を達成するため、本発明に係る通信装置は、
他の機器と所定の通信ケーブルを介してデータ通信を行う通信手段と、該通信手段を制御する制御手段と、を備える通信装置であって、
前記制御手段は、
該制御手段の処理モードを所定の条件の下、通常運転モード、接続判定モード及び運用情報設定モードの何れかに切り替えるモード切替手段と、
前記処理モードが前記接続判定モードであるとき、当該通信装置の運転制御に係る情報である運用情報を設定するための運用情報設定装置が前記通信ケーブルに接続されているか否かを判定する接続判定手段と、
前記処理モードが前記運用情報設定モードであるとき、前記通信手段を介して前記運用情報設定装置とデータ通信を行い、該運用情報設定装置から前記運用情報を取得する情報取得手段と、を備え、
前記モード切替手段は、前記接続判定手段により、前記運用情報設定装置が前記通信ケーブルに接続されていると判定されると、前記処理モードを前記運用情報設定モードに切り替える、ことを特徴とする。
【発明の効果】
【０００８】
本発明によれば、通信装置への運用情報の設定を遠隔操作にて行うことが可能になる。
【図面の簡単な説明】
【０００９】
【図１】本発明の一実施形態に係る通信装置の構成を示す図である。
【図２】図１の制御部の機能構成を示すブロック図である。
【図３】登録パターンの一例を示す図である。
【図４】処理モードの切り替えについて説明するための図である。
【図５】本実施形態において、通信装置で実行される処理の手順（起動時）を示すフローチャートである。
【図６】本実施形態において、通信装置で実行される処理の手順（通常運転時）を示すフローチャートである。
【図７】本実施形態において、運用情報設定装置で実行される処理の手順を示すフローチャートである。
【発明を実施するための形態】
【００１０】
以下、本発明の一実施形態に係る通信装置について図面を参照して詳細に説明する。
【００１１】
図１は、本実施形態に係る通信装置１０の構成を示すブロック図である。通信装置１０は、例えば、太陽光発電システムにおける複数のパワーコンディショナ（図示せず）と接続し、各パワーコンディショナの運転状態に関するデータを収集するデータロガーとしての役割を担う装置である。通信装置１０は、通常の運用時（通常運転時）においては、各パワーコンディショナ（以下、単にパワコンという。）から上記データを収集し、収集したデータを所定のタイミングで、図示しないサーバに送信する。
【００１２】
通信装置１０は、新たに設置される際や、あるいは、運用環境の変更（例えば、接続先（サーバやパワコン）の交換や、各接続先との通信仕様の変更等）の際、運用情報の再設定が必要となる。運用情報とは、通信装置１０の運転制御に係る情報であり、例えば、パワコンと通信する際の時間間隔（ポーリング間隔）や、サーバと接続するための情報（例えば、ホスト名等）等の稼働（運転）に必要な各種の情報をいう。
【００１３】
運用情報の設定には、図１に示すように、運用情報設定装置２０を用いる。通信装置１０と、運用情報設定装置２０とは、例えばＬＡＮケーブル等の通信ケーブル３０を介してデータ通信可能に接続される。作業者は、運用情報設定装置２０を操作することで、運用情報設定装置２０から運用情報を通信装置１０に送信させる。なお、本実施形態では、通常運転時において、通信装置１０は、通信ケーブル３０を介してサーバと接続するものとする。
【００１４】
通信装置１０は、図１に示すように、通信部１０１と、制御部１０２と、記憶部１０３と、を備える。通信部１０１は、所定の通信インタフェースで構成され、通信ケーブル３０を介して接続する他の機器（サーバや運用情報設定装置２０）と、所定の通信方式に従ったデータ通信処理を行う。
【００１５】
制御部１０２は、ＣＰＵ、ＲＯＭ、ＲＡＭ等から構成され、通信装置１０全体の制御を行う。制御部１０２は、３つの処理モード（通常運転モード、接続判定モード、運用情報設定モード）を持つ。制御部１０２は、通常運転モードにおいては、各パワコンからデータを収集して、サーバに送信する処理を実行する。また、接続判定モードでは、制御部１０２は、運用情報設定装置２０とデータ通信可能に接続されているか否かを判定する処理を実行し、運用情報設定モードにおいては、運用情報設定装置２０から運用情報を取得する処理を実行する。
【００１６】
記憶部１０３は、読み書き可能な不揮発性の半導体メモリやハードディスクドライブ等から構成され、各パワコンから収集したデータや、上述した各処理を制御部１０２が実行するためのプログラム及びデータテーブル等を記憶する。
【００１７】
なお、通信装置１０は、以上の構成部の他にも、例えば、パワコンと通信するための通信部等を備えるが、本発明特有の構成ではないため、図示及びその説明は省略する。
【００１８】
運用情報設定装置２０は、何れも図示しないが、制御装置（ＣＰＵ、ＲＯＭ、ＲＡＭ等から構成される。）、外部記憶装置（例えば、読み書き可能な不揮発性の半導体メモリやハードディスクドライブ等）、入力デバイス（例えば、キーボード、マウス、キーパッド、タッチパッドやタッチパネル等）、表示デバイス（例えば、ＣＲＴや液晶モニタ等）、所定の通信インタフェース等から構成される。運用情報設定装置２０としては、例えば、ノート型のパーソナルコンピュータ等の周知の情報処理装置を使用することが可能である。
【００１９】
通信装置１０の制御部１０２は、機能的には、図２に示すように、接続判定部１１１と、パターン判定部１１２と、情報取得部１１３と、モード切替部１１４と、を備える。
【００２０】
接続判定部１１１は、処理モードが接続判定モードになると起動し、運用情報設定装置２０が通信装置１０と通信ケーブル３０を介してデータ通可能に接続されているか否かを判定する。具体的には、接続判定部１１１は、起動後、所定時間（例えば、２０秒間）、運用情報設定装置２０に対する所定の問合せ電文を、通信ケーブル３０を介して、所定の時間間隔で接続先（通信先）の機器に送信し続ける。そして、当該所定時間内に、接続先の機器からの応答があると、接続判定部１１１は、当該機器は運用情報設定装置２０である（即ち、運用情報設定装置２０がデータ通信可能に接続されている）と判定し、その旨をモード切替部１１４に通知する。
【００２１】
一方、所定時間内に接続先の機器からの応答がなかった場合、接続判定部１１１は、当該接続先の機器は運用情報設定装置２０ではない（即ち、運用情報設定装置２０がデータ通信可能に接続されていない）と判定し、その旨をモード切替部１１４に通知する。
【００２２】
パターン判定部１１２は、処理モードが通常運転モードである場合、接続先の機器（サーバあるいは運用情報設定装置２０）との通信における接続状態と切断状態の傾向（接続／切断傾向）が、所定のパターンに合致するか否かを判定する。ここでの接続状態とは、接続先の機器のコネクタに通信ケーブル３０が挿入され、且つ、当該機器の電源がＯＮになっている状態をいう。一方、切断状態とは、接続先の機器のコネクタから通信ケーブル３０が外されている状態又は当該機器の電源がＯＦＦになっている状態をいう。
【００２３】
接続状態及び切断状態の検出は、通信部１０１が備える接続／切断状態検出機能により行われる。通信部１０１は、例えば、所定の時間間隔（例えば、１０ミリ秒間隔等）で、接続状態又は切断状態の何れであるかを検出し、その検出結果をパターン判定部１１２に通知する。
【００２４】
パターン判定部１１２は、通信部１０１による検出結果に基づいて、接続／切断傾向が、所定のパターン（登録パターン）に合致するか否かを判定する。ここで、登録パターンとは、作業者により予め設定された接続／切断傾向であり、予め通信装置１０の記憶部１０３に保存されている。
【００２５】
この登録パターンの一例を図３に示す。図３の例では、切断状態から接続状態になり、４〜６秒後に再度、切断状態となり、４〜６秒後に再度、接続状態となるケースが示されている。このように、登録パターンは、偶然に発生し得る通信ケーブルの引き抜きや、瞬間的な停電等による切断状態及び当該切断状態から接続状態への復旧等に基づく接続／切断傾向ではなく、作業者の故意の操作等に基づく接続／切断傾向であることが明確になるように設定される。
【００２６】
パターン判定部１１２は、接続先の機器との通信における接続／切断傾向が、登録パターンに合致すると判定した場合、その旨をモード切替部１１４に通知する。
【００２７】
情報取得部１１３は、運用情報設定モードになると、直ちに、運用情報設定装置２０に対して、運用情報の設定が可能になった旨を通知する（運用情報要求電文を送信する）。そして、情報取得部１１３は、運用情報設定装置２０から送られてきた運用情報を記憶部１０３に保存する。この際、情報取得部１１３は、現在の運用情報を格納している設定ファイルを記憶部１０３から読み出し、この設定ファイルに新しい運用情報を、上書き又は新たに格納する。制御部１０２は、この設定ファイルに格納された運用情報を用いて、各パワコンとのデータ通信や、サーバとのデータ通信を制御する。この設定ファイルは、運用情報の内容に応じて、複数用意されている。
【００２８】
情報取得部１１３は、運用情報設定装置２０から運用情報の設定を終了する旨の電文（設定終了電文）を受信すると、その旨をモード切替部１１４に通知する。
【００２９】
モード切替部１１４は、処理モード（通常運転モード、接続判定モード、運用情報設定モード）の切替処理を行う。図４に、本実施形態における処理モードの切替規則を示す。図４に示すように、モード切替部１１４は、現在の処理モードが通常運転モードである場合、パターン検出部１１２により、接続／切断傾向が登録パターンに合致する旨の通知を受けると、処理モードを接続判定モードに切り替える。
【００３０】
また、現在の処理モードが接続判定モードである場合、接続判定部１１１により、運用情報設定装置２０がデータ通信可能に接続されている旨の通知を受けると、モード切替部１１４は、処理モードを運用情報設定モードに切り替える。一方、接続判定部１１１により、運用情報設定装置２０がデータ通信可能に接続されていない旨の通知を受けると、モード切替部１１４は、処理モードを通常運転モードに切り替える。
【００３１】
そして、現在の処理モードが運用情報設定モードである場合、情報取得部１１３から、運用情報設定装置２０からの設定終了電文を受信した旨の通知を受けると、モード切替部１１４は、処理モードを通常運転モードに切り替える。
【００３２】
図５は、例えば、通信装置１０の設置時における運用情報の設定の際に、通信装置１０で実行される処理の手順を示すフローチャートである。なお、通信装置１０の電源ＯＮ後（起動直後）において、処理モードのデフォルトは、接続判定モードであるものとする。
【００３３】
接続判定部１１１は、上述したように、所定の問合せ電文を運用情報設定装置２０宛に送信する（ステップＳ１０１）。この問合せに対して、運用情報設定装置２０から応答があると（ステップＳ１０２；ＹＥＳ）、接続判定部１１１は、運用情報設定装置２０がデータ通信可能に接続されている旨をモード切替部１１４に通知し、モード切替部１１４は、処理モードを運用情報設定モードに切り替える（ステップＳ１０３）。
【００３４】
処理モードが運用情報設定モードに切り替わると、情報取得部１１３は、運用情報の設定が可能になった旨を示す運用情報要求電文を運用情報設定装置２０に送信する（ステップＳ１０４）。
【００３５】
一方、運用情報設定装置２０から応答がない場合（ステップＳ１０２；ＮＯ）、電源ＯＮからの経過時間が所定時間（例えば、２０秒）に達していない場合は（ステップＳ１０５；ＮＯ）、接続判定部１１１は、再度、問合せ電文を送信する（ステップＳ１０１）。一方、電源ＯＮからの経過時間が所定時間に達した場合は（ステップＳ１０５；ＹＥＳ）、接続判定部１１１は、運用情報設定装置２０がデータ通信可能に接続されていない旨をモード切替部１１４に通知し、モード切替部１１４は、処理モードを通常運転モードに切り替える（ステップＳ１０９）。この場合、予め記憶部１０３に記憶されているデフォルトの運用情報に基づいて、制御部１０２は、各パワコンとのデータ通信や、サーバとのデータ通信を制御する。
【００３６】
運用情報要求電文を運用情報設定装置２０に送信後、通信部１０１が、運用情報設定装置２０から、運用情報が格納された電文を受信すると（ステップＳ１０６；ＹＥＳ）、情報取得部１１３は、かかる電文から１又は複数の運用情報を抽出し、抽出した運用情報を記憶部１０３に保存する（ステップＳ１０７）。運用情報には、各パワコンとの通信に関する運用情報や、サーバとの通信に関する運用情報等、複数種存在する。これらの運用情報は、一の電文にまとめて格納されて運用情報設定装置２０から送られてくる場合もあるし、また、複数の電文に分割されて送られてくる場合もある。したがって、情報取得部１１３は、運用情報設定装置２０から電文が送られてくる度に（ステップＳ１０６；ＹＥＳ）、ステップＳ１０７の処理を実行する。
【００３７】
しかる後、運用情報設定装置２０からの設定終了電文を受信すると（ステップＳ１０８；ＹＥＳ）、情報取得部１１３は、その旨をモード切替部１１４に通知し、モード切替部１１４は、処理モードを通常運転モードに切り替える（ステップＳ１０９）。制御部１０２は、新たに設定された運用情報に基づいて、各パワコンとのデータ通信や、サーバとのデータ通信を制御する。
【００３８】
このように、通信装置１０を新たに設置する場合、当該通信装置１０の電源をＯＮにするだけで、自動的に通信装置１０が運用情報設定装置２０とデータ通信を行って、運用情報を取得する。したがって、従来に比べ、運用情報の設定が容易となる。
【００３９】
図６は、通信装置１０の通常運転時における運用情報の設定の際に、通信装置１０で実行される処理の手順を示すフローチャートである。
【００４０】
上述したように、通常運転時において、通信部１０１は、所定の時間間隔（例えば、１０ミリ秒間隔等）で、接続先の機器（サーバあるいは運用情報設定装置２０）が、接続状態又は切断状態の何れであるかを検出し、その検出結果をパターン判定部１１２に通知する。パターン判定部１１２は、通信部１０１による検出結果に基づいて、接続／切断傾向が、登録パターンに合致するか否かを判定する（ステップＳ２０１）。接続／切断傾向が、登録パターンに合致する場合（ステップＳ２０１；ＹＥＳ）、パターン判定部１１２は、その旨をモード切替部１１４に通知し、モード切替部１１４は、処理モードを通常運転モードから接続判定モードに切り替える（ステップＳ２０２）。
【００４１】
接続判定モードになると、接続判定部１１１は、所定の問合せ電文を運用情報設定装置２０宛に送信する（ステップＳ２０３）。この問合せに対して、運用情報設定装置２０から応答があると（ステップＳ２０４；ＹＥＳ）、接続判定部１１１は、運用情報設定装置２０がデータ通信可能に接続されている旨をモード切替部１１４に通知し、モード切替部１１４は、処理モードを運用情報設定モードに切り替える（ステップＳ２０５）。
【００４２】
処理モードが運用情報設定モードに切り替わると、情報取得部１１３は、運用情報の設定が可能になった旨を示す運用情報要求電文を運用情報設定装置２０に送信する（ステップＳ２０６）。
【００４３】
一方、運用情報設定装置２０から応答がない場合（ステップＳ２０４；ＮＯ）、接続判定モードに移行してからの経過時間が所定時間（例えば、２０秒）に達していない場合は（ステップＳ２０７；ＮＯ）、接続判定部１１１は、再度、問合せ電文を送信する（ステップＳ２０３）。一方、接続判定モードに移行してからの経過時間が所定時間に達した場合は（ステップＳ２０７；ＹＥＳ）、接続判定部１１１は、運用情報設定装置２０がデータ通信可能に接続されていない旨をモード切替部１１４に通知し、モード切替部１１４は、処理モードを通常運転モードに切り替える（ステップＳ２１１）。この場合、記憶部１０３に記憶されている現状の運用情報に基づいて、制御部１０２は、各パワコンとのデータ通信や、サーバとのデータ通信の制御を続行する。
【００４４】
運用情報要求電文を運用情報設定装置２０に送信後、通信部１０１が、運用情報設定装置２０から、運用情報が格納された電文を受信すると（ステップＳ２０８；ＹＥＳ）、情報取得部１１３は、かかる電文から１又は複数の運用情報を抽出し、抽出した運用情報を記憶部１０３に保存する（ステップＳ２０９）。
【００４５】
しかる後、運用情報設定装置２０からの設定終了電文を受信すると（ステップＳ２１０；ＹＥＳ）、情報取得部１１３は、その旨をモード切替部１１４に通知し、モード切替部１１４は、処理モードを通常運転モードに切り替える（ステップＳ２１１）。制御部１０２は、新たに設定された運用情報に基づいて、各パワコンとのデータ通信や、サーバとのデータ通信を制御する。
【００４６】
以上のように、作業者は、通信装置１０の通常運転時に運用情報の設定（即ち、運用情報の変更）を行いたい場合、例えば、サーバのコネクタから通信ケーブル３０を抜き、運用情報設定装置２０のコネクタに挿入後、５秒前後してから、通信ケーブル３０を抜き、また、５秒前後してから、再度、運用情報設定装置２０のコネクタに挿入する等、予め決められた手順（即ち、登録パターンに合致する手順）で接続／切断を行う。そうすると、通信装置１０の動作状態は、運用情報を設定可能な状態に自動的に移行するため、作業者は、通信装置１０から離れた場所に居ながら、通信装置１０に対して、運用情報を設定することが可能になり、非常に便利である。
【００４７】
続いて、運用情報設定装置２０の処理手順について、図７のフローチャートを参照して説明する。上述したように、通信装置１０の電源がＯＮにされる、あるいは、作業者によって、登録パターンに合致する手順で接続／切断が行われると、通信装置１０の処理モードは、接続判定モードになり、通信装置１０は、所定の問合せ電文を運用情報設定装置２０に送信する。
【００４８】
運用情報設定装置２０は、通信装置１０からの問合せ電文を受信すると（ステップＳ３０１；ＹＥＳ）、通信装置１０に対して応答電文を送信する（ステップＳ３０２）。そして、通信装置１０からの運用情報要求電文を受信すると（ステップＳ３０３；ＹＥＳ）、予め作業者が設定し、外部記憶装置等に保存されている、通信装置１０に設定すべき運用情報を当該外部記憶装置等から読み出し、これを格納した電文を通信装置１０に送信する（ステップＳ３０４）。ここで、運用情報が複数ある場合、一の電文に全ての運用情報を格納してもよいし、複数の電文に分けて格納してもよい。
【００４９】
運用情報設定装置２０は、通信装置１０に設定すべき全ての運用情報を送信すると（ステップＳ３０５；ＹＥＳ）、通信装置１０に対して、設定終了電文を送信する。以上により、運用情報設定装置２０における処理が終了する。
【００５０】
なお、本発明は、上記実施形態に限定されず、本発明の要旨を逸脱しない範囲での種々の変更は勿論可能である。
【００５１】
例えば、上記実施形態では、運用情報設定装置２０は、全ての運用情報を通信装置１０に対して送信した後、設定終了電文を送信しているが、運用情報を格納した最終の電文に、運用情報の設定を終了する旨を示す情報を格納する仕様にしてもよい。
【００５２】
また、運用情報設定装置２０の処理において、通信装置１０に対する各電文の送信を自動的に行っていたが、その全部又は一部に作業者の操作が介入してもよい。例えば、通信装置１０からの電文（問合せ電文や運用情報要求電文）を受信したとき、その旨を表示デバイス等を介して報知することで、作業者に設定の状況を知らせるようにし、作業者が操作することで、各電文（応答電文、運用情報格納電文、設定終了電文）が送信されるようにしても構わない。
【００５３】
また、通信装置１０の通信部１０１が備える接続／切断状態検出機能を通信部１０１から切り離し、別個のハードウェアで実現してもよい。また、通信部１０１、制御部１０２、記憶部１０３を一のハードウェア（集積回路）で実現してもよい。
【産業上の利用可能性】
【００５４】
本発明は、太陽光発電システムの運転状態に関するデータを収集するデータロガーのみならず、様々な通信装置に好適に適用され得る。
【符号の説明】
【００５５】
１０  通信装置
１０１  通信部
１０２  制御部
１１１  接続判定部
１１２  パターン判定部
１１３  情報取得部
１１４  モード切替部
１０３  記憶部
２０  運用情報設定装置
３０  通信ケーブル
【図１】
2011238984.tif 000003
【図２】
2011238984.tif 000004
【図３】
2011238984.tif 000005
【図４】
2011238984.tif 000006
【図５】
2011238984.tif 000007
【図６】
2011238984.tif 000008
【図７】
2011238984.tif 000009